(57)【要約】【課題】軽量で、インテリア性を有し、物品の収納性に優れる収納スツールを提供する。【解決手段】収納スツール１は、ボックス部材１０と、ボックス部材１０を支持する複数の脚部材２０と、ボックス部材１０と脚部材２０に挿着固定し、ボックス部材１０と脚部材２０を接続するジョイント部材３０と、を備える。ボックス部材１０は、物品を収納する容器体１１と、容器体に着脱自在の板状の蓋体と、からなり、容器体１１の内部周縁下方側には、筒状の挿着筒１１１を有し、脚部材２０は、上下方向に延びる筒状体に形成され、ジョイント部材３０は、水平板３５と、水平板３５の上面に立設した上側筒状部３１と、水平板３５の下面に立設した下側筒状部３２と、を備え、上側筒状部３１が挿着筒１１１に挿着され、下側筒状部３２が脚部材２０に挿着され、かつ、水平板３５上面が挿着筒１１１の下端縁に当接することによりボックス部材１０が、脚部材２０に固着される。【選択図】図３
2019088342.tif 000002
【特許請求の範囲】
【請求項１】
収納及び着座が可能であるボックス部材と、該ボックス部材を支持する複数の脚部材と、前記ボックス部材と前記脚部材に挿着固定し、該ボックス部材と該脚部材を接続するジョイント部材と、を備える収納スツールであって、
前記ボックス部材は、物品を収納する容器体と、該容器体に着脱自在の板状の蓋体と、からなり、該容器体の内部周縁下方側には、筒状の挿着筒を有し、
前記脚部材は、上下方向に延びる筒状体に形成され、
前記ジョイント部材は、水平板と、該水平板の上面に立設した上側筒状部と、該水平板の下面に立設した下側筒状部と、を備え、
前記上側筒状部が前記挿着筒に挿着され、前記下側筒状部が前記脚部材に挿着され、かつ、前記水平板上面が該挿着筒の下端縁に当接することにより前記ボックス部材が、前記脚部材に固着されることを特徴とする収納スツール。
【請求項２】
前記上側筒状部の側面下端に設けられた複数の上側リブと、前記下側筒状部の側面上端に設けられた複数の下側リブと、を備え、
前記上側リブが前記挿着筒内面に押圧固定され、かつ、前記下側リブが、前記脚部材内面に押圧固定される請求項１に記載の収納スツール。
【請求項３】
前記水平板の側端面が前記容器体内側面に押圧固定される請求項１又は２に記載の収納スツール。
【請求項４】
前記下側筒状部が、前記上側筒状部に対して外方に傾いで形成されることにより、前記脚部材が下端にかけて外方向に拡開傾斜した請求項１乃至３のうちのいずれか１項に記載の収納スツール。
【請求項５】
前記上側筒状部側面に上側係止片が垂下突設され、前記挿着筒側部に該上側係止片が挿着固定される上側スリットが形成されている請求項１乃至４のうちのいずれか１項に記載の収納スツール。
【請求項６】
前記下側筒状部側面に下側係止片が垂下突設され、前記脚部材に該下側係止片が挿着固定される下側スリットが形成されている請求項１乃至５のうちのいずれか１項に記載の収納スツール。
【請求項７】
前記容器体内部は、複数の垂直に立設した立設板によって囲繞形成された複数の筒体部と、該各々の筒体部の底部又は上部を閉塞する閉塞板とからなる複数の分割収納部を備えている請求項１乃至６のうちのいずれか１項に記載の収納スツール。
【発明の詳細な説明】
【技術分野】
【０００１】
本発明は、収納スツールに関する。更に詳しくは、軽量で、インテリア性を有すると共に、物品の収納性に優れる収納スツールに関する。
【背景技術】
【０００２】
従来、収納スツールとして、略立方体形状又は直方体形状であって、内部の空間に物品を収納可能なスツールが多く知られている。収納スツールは、スツールとして座ることができると共に物品を収納することもできるため、大変有用である。
ここで、折りたたみ可能となっており、内側に物品を収納できる収納スツールが提案されている（例えば、特許文献１参照。）。特許文献１に記載の収納スツールは、折りたたむことで体積を小さくできるため、不使用時の収納スペースの省スペースが可能となり、また、使用時には、内部に物品を収容することができる。
【先行技術文献】
【特許文献】
【０００３】
【特許文献１】実登３１２１０９６号公報
【発明の概要】
【発明が解決しようとする課題】
【０００４】
しかし、この特許文献１に記載の従来の収納スツールは、収納する空間が大きいため、小物の収納や整理には適しておらず、収納空間の有効利用が難しい。また、収納空間が深いため、収納した物品を取り出しづらい。
本発明は、前記の課題を解決するものであり、軽量で、インテリア性を有すると共に、物品の収納性に優れる収納スツールを提供することを目的とする。
【課題を解決するための手段】
【０００５】
前記課題を解決するための本発明は、以下の通りである。
１．収納及び着座が可能であるボックス部材と、該ボックス部材を支持する複数の脚部材と、前記ボックス部材と前記脚部材に挿着固定し、該ボックス部材と該脚部材を接続するジョイント部材と、を備える収納スツールであって、
前記ボックス部材は、物品を収納する容器体と、該容器体に着脱自在の板状の蓋体と、からなり、該容器体の内部周縁下方側には、筒状の挿着筒を有し、
前記脚部材は、上下方向に延びる筒状体に形成され、
前記ジョイント部材は、水平板と、該水平板の上面に立設した上側筒状部と、該水平板の下面に立設した下側筒状部と、を備え、
前記上側筒状部が前記挿着筒に挿着され、前記下側筒状部が前記脚部材に挿着され、かつ、前記水平板上面が該挿着筒の下端縁に当接することにより前記ボックス部材が、前記脚部材に固着されることを特徴とする収納スツール。 
２．前記上側筒状部の側面下端に設けられた複数の上側リブと、前記下側筒状部の側面上端に設けられた複数の下側リブと、を備え、
前記上側リブが前記挿着筒内面に押圧固定され、かつ、前記下側リブが、前記脚部材内面に押圧固定される１．に記載の収納スツール。
３．前記水平板の側端面が前記容器体内側面に押圧固定される１．又は２．に記載の収納スツール。
４．前記下側筒状部が、前記上側筒状部に対して外方に傾いで形成されることにより、前記脚部材が下端にかけて外方向に拡開傾斜した１．乃至３．のうちのいずれか１項に記載の収納スツール。
５．前記上側筒状部側面に上側係止片が垂下突設され、前記挿着筒側部に該上側係止片が挿着固定される上側スリットが形成されている１．乃至４．のうちのいずれか１項に記載の収納スツール。
６．前記下側筒状部側面に下側係止片が垂下突設され、前記脚部材に該下側係止片が挿着固定される下側スリットが形成されている１．乃至５．のうちのいずれか１項に記載の収納スツール。
７．前記容器体内部は、複数の垂直に立設した立設板によって囲繞形成された複数の筒体部と、該各々の筒体部の底部又は上部を閉塞する閉塞板と、からなる複数の分割収納部を備えている１．乃至６．のうちのいずれか１項に記載の収納スツール。
【発明の効果】
【０００６】
１．本発明の収納スツールは、ボックス部材と、複数の脚部材と、ボックス部材と脚部材に挿着固定し、ボックス部材と脚部材を接続するジョイント部材と、を備えており、脚部は、上下方向に延び、ジョイント部材を挿着する筒状体からなり、ジョイント部材は、水平板と、水平板の上面に立設した上側筒状部と、水平板の下面に立設した下側筒状部と、を備えている。こうすることで、ジョイント部材が、ボックス部材と脚部材に確実に挿着固定されるため、ボックス部材が、脚部材に確実に安定して固着される。このように構成されることで、本発明の収納スツールは、軽量で、インテリア性を有すると共に、物品の収納性に優れている。
２．ジョイント部材の上側筒状部の側面下端に設けられた複数の上側リブと、下側筒状部の側面上端に設けられた複数の下側リブと、を備え、上側リブがボックス部材の挿着筒内面に押圧固定され、かつ、下側リブが、脚部材内面に押圧固定される場合には、ボックス部材と脚部が更に確実に固着される。
３．水平板の側端面が容器体内側面に押圧固定される場合には、ボックス部材と脚部が更に確実に固着される。
４．下側筒状部が、上側筒状部に対して外方に傾いで形成されることにより、脚部材が下端にかけて外方向に拡開傾斜している場合には、より安定的に脚部材でボックス部材を支持できると共に、インテリア性が高まる。
５．上側筒状部側面に上側係止片が垂下突設され、挿着筒側部に上側係止片が挿着固定される上側スリットが形成されている場合には、ジョイント部材が挿着筒に対して回動するのを確実に防ぐことができる。
６．下側筒状部側面に下側係止片が垂下突設され、脚部材に下側係止片が挿着固定される下側スリットが形成されている場合には、脚部材が、ジョイント部材に対して回動するのを確実に防ぐことができる。
７．容器体が、複数の垂直に立設した立設板によって囲繞形成された複数の筒体部と、各々の筒体部の底部又は上部を閉塞する閉塞板と、からなる複数の分割収納部を備えている場合には、種々の形状の小物をそれぞれに適合する箇所に収納できる。
【図面の簡単な説明】
【０００７】
【図１】実施形態の収納スツールの上方側から見た斜視図である。
【図２】実施形態の収納スツールの下方側から見た斜視図である。
【図３】実施形態の収納スツールの分解斜視図である。
【図４】実施形態の収納スツールに係り、ボックス部材の上方側から見た斜視図である。
【図５】実施形態の収納スツールに係り、ボックス部材の下方側から見た斜視図である。
【図６】実施形態の収納スツールに係り、蓋体の裏側から見た斜視図である。
【図７】実施形態の収納スツールに係り、蓋体の裏側から見た分解斜視図である。
【図８】実施形態の収納スツールに係り、（ａ）は、ジョイント部材の上方側から見た斜視図、（ｂ）は、ジョイント部材の下方側から見た斜視図である。
【図９】実施形態の収納スツールに係り、（ａ）は、ジョイント部材の平面図、（ｂ）は、ジョイント部材の側面図である。
【図１０】実施形態の収納スツールの分割収納部に種々の物品を収納した使用例を示す斜視図である。
【図１１】実施形態の収納スツールに係り、蓋体の上面に花器を載置した使用例を示す斜視図である。
【図１２】実施形態の収納スツールに係り、蓋体の上面に足を載せた使用例を示す斜視図である。
【図１３】実施形態の収納スツールを椅子として使用した例を示す斜視図である。
【図１４】実施形態の収納スツールを踏み台として使用した例を示す斜視図である。
【図１５】実施形態の収納スツールを小物の載置台として使用した例を示す斜視図である。
【発明を実施するための形態】
【０００８】
以下、本発明の実施形態を示す図１〜１０を参照しながら本発明を詳しく説明する。
尚、本発明は、かかる図に記載された具体例に示すものに限られず、目的、用途に応じて種々変更したものとすることができる。
【０００９】
実施形態に係る収納スツール１は、本発明を具体化している。
収納スツール１は、図１〜図３に示すように、ボックス部材１０と、４本の脚部材と、ボックス部材１０と脚部材２０に挿着固定し、ボックス部材１０と脚部材２０を接続するジョイント部材３０と、を備えている。
【００１０】
［１］ボックス部材
ボックス部材は、本発明の収納スツールにおいて、物品の収納ができると共に、着座することができる部材である。
ボックス部材は、物品を収納する容器体と、容器体に着脱自在の板状の蓋体と、を備えていれば形状は、特に限定はなく、直方体形状、立方体形状、円柱形状、楕円柱形状、角錐台形状、円錐台形状、その他の立体的形状を採用することができる。
実施形態に係るボックス部材１０は、全体形状が略直方体形状である。
【００１１】
（１）容器体
容器体は、物品が収納可能であれば、その内部は特に限定はなく、底板と底板周囲に立設した側板のみからなる容器体であってもよいが、複数の立設板で仕切られて複数の分割収納部を備えていることが好ましい。こうすることで、小物を分けて収納しやすくなる。分割収納部は、同一形状に分割されていてもよいが、異なった形状に分割されていることが好ましい。
実施形態に係る容器体１１は、図４に示すように、４枚の側板１１ｓからなる下方にやや拡開した角筒状の外枠を有し、複数の垂直に立設した異なる形状の立設板１１２ｐによって囲繞形成された６つの筒体部と、図５に示すように、各々の筒体部の底部を閉塞する閉塞板１１５ａ、１１５ｂ、１１５ｃ、１１５ｄ、１１５ｅ、１１５ｆとからなる６つの異なる形状の分割収納部１１２ａ、１１２ｂ、１１２ｃ、１１２ｄ、１１２ｅ、１１２ｆを備えている。なお、異なった形状の立設板の符号の煩雑さを避けるため、立設板１１２ｐで種々の形状の立設板を代表する。
異なる形状の分割収納部とすることで、種々の形状の小物をそれぞれに適合する箇所に収納できる。
【００１２】
また、複数の筒体部の上部を閉塞する閉塞板を有して、トレイとして利用可能な複数の分割収納部を備えることもできる。
すなわち、図４に示すように、複数の垂直に立設した異なる形状の立設板１１２ｐによって囲繞形成された４つの筒体部と、各々の筒体部の上部を閉塞する閉塞板１１６ａ、１１６ｂ、１１６ｃ、１１６ｄとからなる４つの異なる形状のトレイ部としての分割収納部１１３ａ、１１３ｂ、１１３ｃ、１１３ｄを備えている。
このように、トレイ部を備えることで、底の深い収納部からは出し入れがしづらい小物を載置しておくことができる。
【００１３】
容器体の下方側には、ジョイント部材を挿着する筒状の挿着筒を有している。挿着筒の形状は、特に限定されず、角筒状、円筒状、又はこれらの組み合わせ等とすることができる。
実施形態に係る挿着筒１１１は、図５に示すように、容器体１１の周縁角部４か所に円筒状に形成されている。挿着筒の上端は、図４に示す閉塞板１１６ａ、１１６ｂ、１１６ｃ、１１６ｄによって閉塞されている。また、複数の立設板１１２ｐの垂直方向の端面が挿着筒１１１の外面と固着して容器体１１に堅固に固定されている。
また、挿着筒１１１の側部にジョイント部材の上側係止片を挿着固定するための上側スリット１１１ｓを形成することができる。
【００１４】
容器体の材質は特に限定されず、木製、金属製、合成樹脂製又はこれらの組み合わせであってもよいが、合成樹脂製であることが好ましい。合成樹脂製であれば、より軽量化を図ることができる。
また、容器体は、側板、立設板、閉塞板、挿着筒それぞれを別体に製作して接合してもよいが、合成樹脂で一体に形成することが好ましい。こうすることで製作が容易となる。
合成樹脂の種類も特に限定はされないが、ポリプロピレンとすることが好ましい。ポリプロピレンであれば、強度にも優れ、形状を安定的に保持することができる。
【００１５】
（２）蓋体
蓋体は、容器体内部を塞ぐと共に着座するための当接部となる。この作用を有すれば、特に限定はないが、容器体上面の形状に適合した形状であることが好ましい。
実施形態に係る蓋体１５は、図１に示すように、略長方形状であり、容器体１１の上部に挿着される。
【００１６】
蓋体１５は、図６及び図７に示すように、着座部材１５１と、着座部材１５１に挿着固定される補強部材１５２とからなる。
蓋体１５の短手側端部中央それぞれに手指で把手可能な把手部１５１ｈを備えている。
着座部材１５１は、平板１５１ａと、平板１５１ａの周囲に立設した側板１５１ｓとからなる。平板１５１ａの裏面には２個の円柱状の小突起１５１ｐが形成されている。また、平板１５１ａの側板１５１ｓの前後左右にそれぞれに長尺のスリット１５１ｄが形成されている。
【００１７】
補強部材１５２は、平板１５２ａと、平板１５２ａの周囲に立設した側板１５２ｓとからなり、平板１５２ａ上には、多数の立設片がハニカム構造を形成して固着されている。
平板１５２ａ上には２個の孔部１５２ｋが形成されており、着座部材１５１の小突起１５１ｐが嵌着される。また、側板１５２ｓの前後左右にそれぞれに長尺の突起１５２ｃが突出形成されており、着座部材１５１のスリット１５１ｄに嵌着される。
【００１８】
着座部材１５１に、補強部材１５２を嵌着固定して形成された蓋体１５は、図４に示す容器体１１に挿着することができる。すなわち、蓋体１５の側板１５１ｓが容器体１１の内側面１１ｐに当接し、蓋体１５のハニカム構造をした立設片の上面１５２ｆが容器体１１の筒状部の上端１１ｆに当接することで、蓋体１５が容器体１１に確実に挿着される。
着座部材１５１、補強部材１５２の材質は特に限定されず、木製、金属製、合成樹脂製又はこれらの組み合わせであってもよいが、合成樹脂製であることが好ましい。
着座部材は座り心地、及びファブリック等をイメージさせる感触が得られるよう、軟質の合成樹脂製であることが好ましい。エラストマーであれば好適に使用できる。
一方、補強部材は、強度を保持するため、硬質材であることが好ましい。例えば合成樹脂であれば、ポロプロピレンが好適に使用できる。
【００１９】
［２］脚部材
脚部材は、上下方向に延び、ジョイント部材を挿着する筒状体に形成されて、ボックス部材を支持する。脚部材はボックス部材を支持できる筒状体であれば、特に形状は限定されず、円筒状、角筒状、又はこれらの組み合わせとすることができる。また、脚部材の数も特に限定されず、例えば３〜６本とすることができる。直方体形状のボックス部材に対しては、通常４本である。
【００２０】
実施形態に係る脚部材２０は、図１に示すように、４本であり、円筒状の脚部材本体２１と脚部材本体２１に接続した椀状で下端に孔が開けられている支持部２２と、その支持部２２の孔を塞ぐキャップ２５とからなる。更に、図３に示すように、上端にジョイント部材の下側係止片３２ｐが挿着されるための上側スリット３１ｓを形成することができる。
脚部材の材質は、特に限定されず、木製、金属製、合成樹脂製又はこれらの組み合わせであってもよいが、合成樹脂製であることが好ましい。合成樹脂製であれば、より軽量化を図ることができる。
合成樹脂の種類も特に限定はされないが、ポリプロピレンとすることが好ましい。ポリプロピレンであれば、強度にも優れ、形状を安定的に保持することができる。
脚部材本体２１と支持部２２は硬質の合成樹脂で一体に形成され、キャップ２５は軟質の合成樹脂で形成することができる。例えば、脚部材本体２１と支持部２２はポリプロピレンで一体に形成し、キャップ２５をエラストマーで形成することができる。キャップ２５を軟質材とすることで、脚部材が載置される床等に対して滑ったり、傷つけるのを防ぐことができる。また、キャップを別体とすることで損耗した場合に交換可能となる。
【００２１】
［３］ジョイント部材
ジョイント部材は、水平板と、水平板の上面に立設した上側筒状部と、水平板の下面に立設した下側筒状部と、を備えており、ボックス部材と脚部材に挿着固定し、ボックス部材と脚部材を接続する。
上側筒状部、下側筒状部は筒状に形成されていて、ボックス部材と脚部材に挿着固定できれば、形状は特に限定はなく、円筒状、角筒状、又はこれらに組み合わせとすることができる。
ジョイント部材の材質は、特に限定はなく、金属製、木製、合成樹脂製又はこれらの組み合わせとすることができるが、合成樹脂であることが好ましい。合成樹脂の中でも強度に優れるポリプロピレンが特に好ましい。
また、水平板、上側筒状部、下側筒状部は、それぞれ別体に形成して、接合して作製してもよいが、合成樹脂で一体に形成することが好ましい。
【００２２】
実施形態に係るジョイント部材３０は、水平板３５と、水平板３５の上面に立設した上側筒状部３１と、水平板３５の下面に立設した下側筒状部３２と、を備えている。
このため、上側筒状部３１がボックス部材１０の挿着筒１１１に挿着され、下側筒状部３２が脚部材２０に挿着され、水平板３５が、ボックス部材１０の挿着筒１１１の下端縁に当接することで、ジョイント部材３０が、ボックス部材１０と脚部材２０に確実に固定される。
【００２３】
ジョイント部材の上側筒状部の側面下端に複数の上側リブが設けられ、下側筒状部の側面上端に複数の下側リブが設けられており、上側リブがボックス部材の挿着筒内面に押圧固定され、かつ、下側リブが、脚部材内面に押圧固定されることが好ましい。こうすることで、更にジョイント部材が、ボックス部材と脚部材に更に確実に固着される。
ここで、「上側リブ」、「下側リブ」とは、上側筒状部又は下側筒状部の側面から外方に突出した突起物を意味し、その形状は特に限定はないが、ジョイント部材の延びる方向に立設した柱状であることが好ましい。
【００２４】
実施形態に係るジョイント部材３０は、上側筒状部３１の側面下端に設けられた複数の半円柱状の上側リブ３１ｒと、下側筒状部３２の側面上端に設けられた複数の半円柱状の下側リブ３２ｒと、を備えている。
このため、上側リブ３１ｒがボックス部材１０の挿着筒内面１１１ａに押圧固定され、かつ、下側リブ３２ｒが、脚部材内面２０ａに押圧固定される。こうすることで、ジョイント部材３０が、ボックス部材１０と脚部材２０に更に確実に固着される。
【００２５】
水平板の形状は板状に形成されていて、挿着筒の下端縁に当接する形状であれば特に限定はないが、水平板の側端面が、ボックス部材内側面に押圧固定されることが好ましい。
実施形態に係る水平板３５は、図９（ａ）、（ｂ）に示すように、上側筒状部３１と下側筒状部３２に固着形成されていると共に、上側筒状部３１と下側筒状部３２を境に外側水平板３５１と内側水平板３５２とからなる略矩形の平板状に形成されている。
そして、ボックス本体の内側方向の側端面が曲線状に形成されていると共に、隣り合う側端面３５ａ、３５ｂが直線状に形成されている。こうすることで、図３に示すように、ボックス部材内側面１１ａの隣り合う２面に押圧固定することができる。こうすることで、ボックス部材１０と脚部材２０が更に確実に固着される。
【００２６】
下側筒状部は、上側筒状部に対して外方に傾いで形成されていることが好ましい。
実施形態に係るジョイント部材３０は、図９（ｂ）に示すように、下側筒状部３２が、上側筒状部３１に対して外方に傾いで形成されている。なお、図９（ａ）は、図３に示すジョイント部材３０を上方から見た平面図であり、図９（ｂ）は、側面図である。
この傾ぐ角度は、特に限定はないが、上側筒状部３１の中心線に対する下側筒状部３２の中心線とのなす角θは１〜５度であることが好ましく、２〜４度であることが更に好ましく、２．５〜３．５度であることが特に好ましい。
すなわち、下側筒状部３２が、上側筒状部３１に対して外方に傾いで形成されていることにより、この下側筒状部３２が脚部材２０に挿着されると、脚部材２０が下端にかけて外方向に拡開傾斜されることになり、より安定的に脚部材２０でボックス部材１０を支持できると共に、インテリア性が高まる。
【００２７】
上側筒状部側面に上側係止片が垂下突設され、挿着筒側部に上側係止片が挿着固定される上側スリットが形成されていることが好ましい。
図９（ｂ）に示すように、ジョイント部材３０の上側筒状部３１の側面に上側係止片３１ｐが垂下突設されている。図５に示すように、挿着筒１１１側部に上側スリット１１１ｓが形成されていることで、上側係止片３１ｐを上側スリット１１１ｓに挿着固定することができる。こうすることで、ジョイント部材３０が挿着筒１１１に対して回動するのを確実に防ぐことができる。
【００２８】
下側筒状部側面に下側係止片が垂下突設され、脚部材に下側係止片が挿着固定される下側スリットが形成されていることが好ましい。
図９（ｂ）に示すように、ジョイント部材３０の下側筒状部３２の側面に下側係止片３２ｐが垂下突設されている。図３に示すように、脚部材２０側部に下側スリット２１ｓが形成されていることで、下側係止片３２ｐを下側スリット２１ｓに挿着固定することができる。こうすることで、ジョイント部材３０が脚部材２０に対して回動するのを確実に防ぐことができる。
【００２９】
（使用例）
実施形態の収納スツール１は、図１に示すように、ボックス部材１０は容器体１１に蓋体１５が挿着された状態で、蓋体１５の上面に着座したり、踏み台として使用することができる。
また、蓋体１５に形成されている一対の把手部１５１ｈを手指で持って取り外すと、図４に示すように、分割収納部が現れる。６つの異なる形状の分割収納部１１２ａ、１１２ｂ、１１２ｃ、１１２ｄ、１１２ｅ、１１２ｆ、及び、４つの異なる形状のトレイ部としての分割収納部１１３ａ、１１３ｂ、１１３ｃ、１１３ｄに小物を収納又は載置することができる。
【００３０】
図１０に示すように、例えば、やや横長の分割収納部１１２ｃには、テレビのリモコン８１、少し小さめの分割収納部１１２ｂにはスマートフォン８５、更に小さめの分割収納部１１２ｅには、ビーズ８４を収納しておくことができる。
また、やや広いトレイ部としての分割収納部１１３ａ、１１３ｃには、それぞれ菓子器８６、マグカップ８２を載置することができる。また、やや狭いトレイ部としての分割収納部１１３ｂ、１１３ｄには、ＵＳＢメモリ８７、事務用クリップ８３など、深い収納部では取り出しにくい小物を載置するのに適している。
【００３１】
蓋体１５が挿着された状態では、図１１に示すように蓋体１５上に、例えば花器９１などを載置して使用することができる。
また、図１２に示すように、別の椅子９２に着座し、蓋体１５上に足９３を載せ、足置き台として使用することもできる。
更に、図１３に示すように、蓋体１５上に腰９５を載せて着座することができる。例えば、靴９４を履くときに使用すると便利である。
また、図１４に示すように、蓋体１５上に足９６を載せて立ち上がり、踏み台として使用することもできる。
更に、図１５に示すように、蓋体１５を取り外して、容器体１１のトレイ部に飲み物の入ったカップ９７を載置し、別のソファー椅子９８に座って寛ぐこともできる。
以上は、使用の例であり、目的、用途に応じて、多種多様な使用をすることができる。
【符号の説明】
【００３２】
１；収納スツール、１０；ボックス部材、１１；容器体、１１ａ；容器体内側面、１１１；挿着筒、１１２ａ、１１２ｂ、１１２ｃ、１１２ｄ、１１２ｅ、１１２ｆ、１１３ａ、１１３ｂ、１１３ｃ、１１３ｄ；分割収納部、１１２ｐ；立設板、１１５ａ、１１５ｂ、１１５ｃ、１１５ｄ、１１５ｅ、１１５ｆ、１１６ａ、１１６ｂ、１１６ｃ、１１６ｄ；閉塞板、１５；蓋体、２０；脚部材、３０；ジョイント部材、３１；上側筒状部、３１ｒ；上側リブ、３１ｐ；上側係止片、３１ｓ；上側スリット、３２；下側筒上部、３２ｒ；下側リブ、３２ｐ；下側係止片、３２ｓ；下側スリット、３５；水平板、３５ａ、３５ｂ；水平板の側端面
【図１】
2019088342.tif 000003
【図２】
2019088342.tif 000004
【図３】
2019088342.tif 000005
【図４】
2019088342.tif 000006
【図５】
2019088342.tif 000007
【図６】
2019088342.tif 000008
【図７】
2019088342.tif 000009
【図８】
2019088342.tif 000010
【図９】
2019088342.tif 000011
【図１０】
2019088342.tif 000012
【図１１】
2019088342.tif 000013
【図１２】
2019088342.tif 000014
【図１３】
2019088342.tif 000015
【図１４】
2019088342.tif 000016
【図１５】
2019088342.tif 000017